(57)【要約】【課題】  量り売り商品についての購買商品としての登録を、購買者が簡易に行うことを可能とする。【解決手段】  実施形態の計量装置は、重量計、撮影手段、識別手段及び出力手段を備える。重量計は、計測空間に置かれた商品の重量を計測する。撮影手段は、計測空間を撮影する。識別手段は、撮影手段により撮影された画像に表れた商品の特徴に基づいて計測空間に置かれた商品を識別する。出力手段は、重量計によって計測された重量と、識別手段による識別結果とに基づいて、計測空間に置かれた商品と、当該商品についての販売価格とをそれぞれ特定可能な予め定められたデータを出力する。【選択図】      図３
2020153839.tif 000002
【特許請求の範囲】
【請求項１】
計測空間に置かれた商品の重量を計測する重量計と、
前記計測空間を撮影する撮影手段と、
前記撮影手段により撮影された画像に表れた前記商品の特徴に基づいて前記計測空間に置かれた商品を識別する識別手段と、
前記重量計によって計測された重量と、前記識別手段による識別結果とに基づいて、前記計測空間に置かれた商品と、当該商品についての販売価格とをそれぞれ特定可能な予め定められたデータを出力する出力手段と、
を具備した計量装置。
【請求項２】
前記出力手段は、前記重量計による複数回の計測により得られた複数の重量と、前記複数回の計測のそれぞれに際しての前記識別手段による識別結果とに基づいて、前記計測空間に順次に置かれた複数の商品と、当該複数の商品のそれぞれについての販売価格とをそれぞれ特定可能な予め定められたデータを出力する、
請求項１に記載の計量装置。
【請求項３】
前記出力手段は、
予め定められた宣言が操作者により行われなかった場合には、前記重量計による一度の計測により得られた１つの重量と、当該一度の計測に際しての前記識別手段による一度の識別結果とに基づいて、前記計測空間に置かれた１つの商品と、当該商品についての販売価格とをそれぞれ特定可能な予め定められたデータを出力し、
前記宣言が前記操作者により行われたことに応じて、前記重量計による複数回の計測により得られた複数の重量と、前記複数回の計測のそれぞれに際しての前記識別手段による識別結果とに基づいて、前記計測空間に順次に置かれた複数の商品と、当該複数の商品のそれぞれについての販売価格とをそれぞれ特定可能な予め定められたデータを出力する、
請求項２に記載の計量装置。
【請求項４】
前記出力手段は、
表示デバイスと、
前記データを表した光学的読み取り可能なコードパターンを前記表示デバイスに表示させる制御手段と、
をさらに具備する請求項１乃至請求項３のいずれか一項に記載の計量装置。
【発明の詳細な説明】
【技術分野】
【０００１】
本発明の実施形態は、計量装置に関する。
【背景技術】
【０００２】
購買者が購買しようとする商品を購買商品として登録するための作業を、購買者が店員の介在無しに行う店舗システムは、既に知られている。
しかしながら、この種の従来の店舗システムでは、量り売り商品の販売には対応できていなかった。
このような事情から、量り売り商品についての購買商品としての登録を、購買者が簡易に行えることが望まれていた。
【先行技術文献】
【特許文献】
【０００３】
【特許文献１】特開２０１７−１３４０８７号公報
【発明の概要】
【発明が解決しようとする課題】
【０００４】
本発明が解決しようとする課題は、量り売り商品についての購買商品としての登録を、購買者が簡易に行うことを可能とする計量装置を提供することである。
【課題を解決するための手段】
【０００５】
実施形態の計量装置は、重量計、撮影手段、識別手段及び出力手段を備える。重量計は、計測空間に置かれた商品の重量を計測する。撮影手段は、計測空間を撮影する。識別手段は、撮影手段により撮影された画像に表れた商品の特徴に基づいて計測空間に置かれた商品を識別する。出力手段は、重量計によって計測された重量と、識別手段による識別結果とに基づいて、計測空間に置かれた商品と、当該商品についての販売価格とをそれぞれ特定可能な予め定められたデータを出力する。
【図面の簡単な説明】
【０００６】
【図１】第１の実施形態に係る計量装置の要部回路構成と、当該計量装置を含んで構成された商品販売処理システムの概略構成とを示すブロック図。
【図２】図１中に示される計量装置の外観を示す斜視図。
【図３】図１中に示されるプロセッサの第１の実施形態における情報処理の手順を示すフローチャート。
【図４】一例としての確認画面を示す図。
【図５】図１中に示されるプロセッサの第２の実施形態における情報処理の手順を示すフローチャート。
【図６】図１中に示されるプロセッサの第２の実施形態における情報処理の手順を示すフローチャート。
【図７】一例としての第２の確認画面を示す図。
【図８】一例としての第３の確認画面を示す図。
【発明を実施するための形態】
【０００７】
以下、実施の形態について図面を用いて説明する。
以下に説明する実施形態は、惣菜売場において量り売りを行う惣菜を購買商品として登録するのに好適な計量装置に関する。なお、以下において「惣菜」とは、店舗内において量り売りされ得る全ての飲食物を含むこととする。つまり、例えば「白飯」又は「オレンジジュース」が「惣菜」の１つであってもよい。また、飲食品以外の商品を量り売りする場合にも本実施形態の計量装置を用いることも可能である。
【０００８】
（第１の実施形態）
図１は第１の実施形態に係る計量装置１０の要部回路構成と、当該計量装置１０を含んで構成された商品販売処理システム１の概略構成とを示すブロック図である。図２は計量装置１０の外観を示す斜視図である。なお、図１及び図２において、同一の要素については同一の符号を付している。
図１に示すように計量装置１０は、プロセッサ１１、記憶部１２、タッチパネル１３、キーパッド１４、重量計１５、カメラ１６及び伝送路１７を含む。
【０００９】
プロセッサ１１、記憶部１２及び重量計１５は、図２に示す筐体１００の内部に収容される。タッチパネル１３及びキーパッド１４は、図２に示す操作パネル２００に取り付けられる。カメラ１６は、図２に示す取付アーム３００の先端に取り付けられる。取付アーム３００は、基端が筐体１００に固定される。
【００１０】
プロセッサ１１は、計量装置１０としての各種の機能を実現するための情報処理を実行するためのコンピュータを、記憶部１２とともに構成する。プロセッサ１１は、上記コンピュータの中枢部分に相当する。プロセッサ１１は、オペレーティングシステム、ミドルウェア及びアプリケーションプログラムなどの情報処理プログラムに従った情報処理を実行する。
【００１１】
記憶部１２は、上記コンピュータの主記憶部分に相当する。記憶部１２は、不揮発性のメモリ領域と揮発性のメモリ領域とを含む。記憶部１２は、不揮発性のメモリ領域では上記の情報処理プログラムを記憶する。また記憶部１２は、プロセッサ１１が各部を制御するための処理を実行する上で必要なデータを不揮発性又は揮発性のメモリ領域で記憶する場合もある。記憶部１２が記憶するデータの１つは、商品データベースである。商品データベースは、計量装置１０を用いた量り売りの対象商品である惣菜にそれぞれ関連付けられたレコードデータの集合である。レコードデータには例えば、関連付けられた惣菜を識別するための商品コード、商品名及び単位重量当たりの価格などの情報が含まれる。ただし、計量装置１０に通信ネットワークを介した通信を行う機能を備えて、通信ネットワークを介して別のサーバに記憶された商品データベースが参照されてもよい。そしてこの場合には、記憶部１２には商品データベースは記憶されない。記憶部１２は、揮発性のメモリ領域を、プロセッサ１１によってデータが適宜書き換えられるワークエリアとして使用する。記憶部１２は、上記コンピュータの補助記憶部分に相当する補助記憶デバイスを含んでもよい。当該補助記憶デバイスとしては、例えばＥＥＰＲＯＭ（electric erasable programmable read-only memory）、ＨＤＤ（hard disc drive）、ＳＳＤ（solid state drive）、あるいはその他の周知の各種の記憶デバイスなどを適宜に適用できる。補助記憶デバイスは、プロセッサ１１が各種の処理を行う上で使用するデータと、プロセッサ１１での処理によって生成されたデータとを保存する。上記の情報処理プログラムの一部を助記憶デバイスに記憶してもよい。
【００１２】
タッチパネル１３は、操作者に対して各種の情報を通知するための各種画面を表示する。タッチパネル１３は、上記の画面に対するタッチ操作を入力することにより、操作者による各種の指示を入力する。
キーパッド１４は、複数のキーを配列したものである。キーパッド１４は、キー操作を入力することにより、操作者による各種の指示を入力する。
【００１３】
なお本実施形態においては、タッチパネル１３及びキーパッド１４は、操作パネル２００に図２に示すように並べて取り付けられている。操作パネル２００は、タッチパネル１３及びキーパッド１４の向きを変えられるよう、筐体１００に対する傾きを変更可能なように筐体１００に取り付けられている。
【００１４】
重量計１５は、筐体１００の外部に配置された秤皿１５ａを含む。重量計１５は、秤皿１５ａに載置された物品の重量を計測する。
カメラ１６は、秤皿１５ａ上を視野内とする状態に、取付アーム３００によって支持されている。カメラ１６は、上記の視野内を撮影し、視野内の画像に応じた画像データを出力する。この画像データが表す画像には、秤皿１５ａに商品が載置されているときには、当該商品が映り込む。カメラ１６は、撮影手段の一例である。
伝送路１７は、アドレスバス、データバス及び制御信号線等を含み、接続されている各部の間で授受されるデータ及び制御信号を伝送する。
【００１５】
読取端末２０は、商品を識別するための商品コードなどのデータを光学的に読取可能に表したコードパターンを光学的に読み取る。コードパターンは、例えばＪＡＮ（Japanese article number）シンボル等の種々のバーコード、あるいはＱＲコード（登録商標）などの２次元コードである。そして読取端末２０は、読み取ったコードパターンが表すデータを、販売処理サーバ３０へと通信ネットワーク４０を介して通知する。読取端末２０は、例えばショッピングカートに取り付けられたカート端末である。あるいは読取端末２０は、購買者が携帯する情報端末である。
【００１６】
販売処理サーバ３０は、読取端末２０から通知されるデータにより特定される商品を商品リストに追加することで、読取端末２０を使用している購買者についての購買商品として登録する。販売処理サーバ３０は、読取端末２０を使用している購買者が退店した場合に、当該購買者に関して登録済みの購買商品についての代金を決済する。
通信ネットワーク４０は、典型的にはＬＡＮ（local area network）である。しかしながら、通信ネットワーク４０は、インターネット、ＶＰＮ（virtual private network）、ＬＡＮ、公衆通信網、移動体通信網、専用線などを、単独又は適宜に組み合わせて用いることができる。通信ネットワーク４０は、有線タイプ及び無線タイプのいずれでもよいし、あるいはそれらが組み合わせて用いられてもよい。特に、読取端末２０と通信ネットワーク４０との間は、無線接続が好適である。
【００１７】
計量装置１０は、後述する情報処理について記述した情報処理プログラムを記憶部１２に記憶する。なお、当該情報処理プログラムは、計量装置１０のハードウェアの譲渡の際に記憶部１２に記憶されていてもよいし、上記のハードウェアとは別に譲渡されてもよい。後者の場合、情報処理プログラムは、磁気ディスク、光磁気ディスク、光ディスク、半導体メモリなどのようなリムーバブルな記録媒体に記録して、あるいはネットワークを介して譲渡される。後者の場合、情報処理プログラムはバージョンアッププログラムとして提供され、記憶部１２に既に記憶されている別の同種の情報処理プログラムに置き換えられるケースが想定される。
【００１８】
次に以上のように構成された計量装置１０及び商品販売処理システム１の動作について説明する。なお、以下に説明する処理の内容は一例であって、一部の処理の順序の変更、一部の処理の省略、あるいは別の処理の追加などは適宜に可能である。
【００１９】
購買者は、入店時には、商品登録に用いる読取端末２０にてチェックイン手続きを行う。読取端末２０は、チェックイン手続きにて購買者を識別するための購買者コードを取得し、当該購買者コードの通知を伴って、販売処理サーバ３０に対して買い物開始を通達する。当該通達を受けて販売処理サーバ３０は、当該通達を行った読取端末２０をしきべつするための端末コードと、通知された購買者コードとに関連付けて、商品リストを表したテーブルデータ（以下、商品テーブルと称する）を生成する。なお、チェックイン手続きは、入口に設置したチェックイン端末で行われてもよい。
【００２０】
購買者は、購買しようとする商品に商品コードを表したバーコード等のコードパターンが表示されているならば、このコードパターンを読取端末２０に読み取らせる。読取端末２０は、コードパターンを読み取ると、当該のコードパターンが表すデータのうちの少なくとも商品コードを、販売処理サーバ３０に通信ネットワーク４０を介して通知する。そしてこの通知を受けて販売処理サーバ３０は、通知元の読取端末２０に関連付けられた商品テーブルを、通知された商品コードで識別される商品を購買商品として含むように更新する。なお、読取端末２０は、コードパターンが商品の販売価格を示すならば、当該販売価格も販売処理サーバ３０に通知する。そしてこの場合に販売処理サーバ３０は、通知された販売価格を購買商品に関連付けて商品テーブルに含める。つまり販売処理サーバ３０は、上記のように購買者が購入しようとしている商品を購買商品として登録する。
【００２１】
さて購買者は、購入しようとする惣菜を、好みの量だけ所定の容器に盛って、計量装置１０の秤皿１５ａに載せる。
計量装置１０が通常の動作状態にあるとき、プロセッサ１１は、記憶部１２に記憶されている情報処理プログラムに従って以下に説明する情報処理を実行する。
図３はプロセッサ１１の第１の実施形態における情報処理の手順を示すフローチャートである。
【００２２】
ＡＣＴ１としてプロセッサ１１は、計量が開始されるのを待ち受ける。プロセッサ１１は例えば、重量計１５による計測重量が０のままであるならば、計量は開始されていないと判断する。そして上述のように惣菜が計量装置１０の秤皿１５ａに載せられると、重量計１５による計測重量が０では無くなる。そうするとプロセッサ１１は、計量が開始されたとしてＹＥＳと判定し、ＡＣＴ２へと進む。
【００２３】
ＡＣＴ２としてプロセッサ１１は、計量が終了するのを待ち受ける。プロセッサ１１は例えば、重量計１５による計測重量が変動しているうちは、計量中であると判断する。そしてプロセッサ１１は例えば、重量計１５による計測重量が、０以外の値のまま変化しない状態が予め定められた期間に渡ったならば、計量が終了したとしてＹＥＳと判定し、ＡＣＴ３へと進む。
【００２４】
ＡＣＴ３としてプロセッサ１１は、秤皿１５ａに載せられている惣菜がどの商品であるかを識別する。つまりこのときにカメラ１６が出力する画像データが表す画像には、秤皿１５ａに載せられている惣菜が映り込んでいるから、この画像に表れた惣菜の外観の特徴から商品を識別する。この商品の識別には、周知のオブジェクト認識技術を用いることができる。かくして情報処理プログラムに基づく情報処理をプロセッサ１１が実行することによって、プロセッサ１１を中枢部分とするコンピュータは識別手段として機能する。
【００２５】
ＡＣＴ４としてプロセッサ１１は、複数の候補が有ったか否かを確認する。つまり、外観が似ている惣菜が複数存在する場合、カメラ１６が出力する画像データが表す画像に表れた特徴からでは、複数の惣菜のうちの１つに絞り込むことができない場合がある。そしてこの場合は、複数の候補が生じる。プロセッサ１１は、このような場合にＹＥＳと判定し、ＡＣＴ５へと進む。
【００２６】
ＡＣＴ５としてプロセッサ１１は、選択画面をタッチパネル１３に表示させる。選択画面は例えば、上記の複数の候補をそれぞれ表すとともに、これら候補のうちの秤皿１５ａに載っている惣菜を指定するように購買者に案内する画面である。この選択画面が表示された場合に購買者は、タッチパネル１３へのタッチ又はキーパッド１４の操作によって、候補のいずれかを指定する。
【００２７】
ＡＣＴ６としてプロセッサ１１は、秤皿１５ａに載せられている惣菜が候補の中から指定されるのを待ち受ける。そしてプロセッサ１１は、上記のような惣菜を指定する操作が行われたことが確認できたならばＹＥＳと判定し、ＡＣＴ７へと進む。なおプロセッサ１１は、ＡＣＴ３にて惣菜を識別できたならば、ＡＣＴ４にてＮＯと判定し、ＡＣＴ５及びＡＣＴ６をパスしてＡＣＴ７へと進む。
【００２８】
ＡＣＴ７としてプロセッサ１１は、確認画面をタッチパネル１３に表示させる。
図４は一例としての確認画面ＳＣ１を示す図である。
確認画面ＳＣ１は、表示エリアＡＲ１，ＡＲ２，ＡＲ３，ＡＲ４、文字メッセージＭＥ１及び２次元コードＣＯ１を含む。
【００２９】
表示エリアＡＲ１は、商品名を表示するためのエリアである。表示エリアＡＲ２は、単位重量当りの価格、すなわち単価を表示するためのエリアである。プロセッサ１１は、Ａｃｔ３で識別した惣菜又はＡＣＴ６にて指定された惣菜の商品コードに関連づけて商品データベースに含まれている商品名及び単価を記憶部１２から取得し、表示エリアＡＲ１，ＡＲ２にそれぞれ表す。なお図４に示す確認画面ＳＣ１は、商品名を省略して「○○○○○」と示している。また図４に示す確認画面ＳＣ１は、単価が１６０円である例である。
【００３０】
表示エリアＡＲ３は、計測重量を表示するためのエリアである。プロセッサ１１は、重量計１５による計測重量を表示エリアＡＲ３に示す。図４に示す確認画面ＳＣ１は、計測重量が「８２ｇ」である例である。
【００３１】
表示エリアＡＲ４は、秤皿１５ａに載せられている惣菜についての販売価格を表示するエリアである。プロセッサ１１は、［計測重量÷単位重量］として求まる値を上記の単価に乗じた金額を、表示エリアＡＲ４に表す。なお図４に示す確認画面ＳＣ１は、販売価格が１３１円である例である。
以上の表示エリアＡＲ１〜ＡＲ４は、他の確認画面においても共通に含まれる。しかしながら表示エリアＡＲ１〜ＡＲ４に示される商品名、計測重量、単価及び販売価格は、他の確認画面では異なる場合がある。
【００３２】
２次元コードＣＯ１は、Ａｃｔ３で識別した惣菜又はＡＣＴ６にて指定された惣菜の商品コードと、表示エリアＡＲ４に表された販売価格を販売処理サーバ３０にて特定可能とする価格特定データとを少なくとも表す。価格特定データは、典型的には表示エリアＡＲ４に表された販売価格である。しかしながら価格特定データは、表示エリアＡＲ２及び表示エリアＡＲ３に示された単価及び計測重量としてもよい。この場合は、販売処理サーバ３０では、上述の計算により販売価格を特定できる。また価格特定データは、表示エリアＡＲ３に示された計測重量のみとしてもよい。この場合は、販売処理サーバ３０からも記憶部１２に記憶されているのと同じ内容の商品データベースにアクセス可能としておくことによって、この商品データベースから得た単価と価格特定データが示す計測重量とから上記の計算により販売処理サーバ３０にて販売価格を特定できる。２次元コードＣＯ１は、他の確認画面においては、パターンが異なる別の２次元コードに置き換えられる場合もある。
【００３３】
文字メッセージＭＥ１は、秤皿１５ａに載せられている惣菜を購買商品とする場合には、読取端末２０に２次元コードＣＯ１を読み取らせるように購買者に促すメッセージを表している。当該メッセージの内容は任意であってよく、例えば計量装置１０の設計者又は管理者により定められる。文字メッセージＭＥ１は、別の確認画面においても共通に含まれる。
【００３４】
タッチパネル１３は、表示デバイスの一例である。そしてプロセッサ１１は、商品コード及び価格特定データを表した光学的読み取り可能なコードパターンとしての２次元コードをタッチパネル１３に表示させる。ここで、商品コード及び価格特定データは、重量計１５による計測重量と、ＡＣＴ３における識別結果とに基づいて、計測空間としての秤皿１５ａ上に置かれた商品と、当該商品についての販売価格とをそれぞれ特定可能な予め定められたデータに相当する。かくして情報処理プログラムに基づく情報処理をプロセッサ１１が実行することによって、プロセッサ１１を中枢部分とするコンピュータは制御手段として機能する。またプロセッサ１１の制御手段としての機能とタッチパネル１３との協働により出力手段としての機能が実現される。
【００３５】
購買者は、例えば確認画面ＳＣ１を確認し、秤皿１５ａに載せられている惣菜を購買することを決定したならば、文字メッセージＭＥ１での案内に従って、２次元コードＣＯ１を読取端末２０に読み取らせる。
読取端末２０は、確認画面の２次元コードを読み取ったならば、そこに示される商品コード及び価格特定データを販売処理サーバ３０に通信ネットワーク４０を介して通知する。そしてこの通知を受けて販売処理サーバ３０は、通知元の読取端末２０に関連付けられた商品テーブルを、通知された商品コードで識別される商品を購買商品として含むように更新する。つまり販売処理サーバ３０は、上記のように購買者が購入しようとしている商品を購買商品として登録する。また販売処理サーバ３０は、通知された価格特定データから特定した販売価格を、上記の登録した購買商品の販売価格として商品テーブルに含める。
【００３６】
購買者は、このようにして秤皿１５ａに載せられている惣菜を購買商品として登録し終えたならば、当該の惣菜を秤皿１５ａから取り去る。
ＡＣＴ８としてプロセッサ１１は、秤皿１５ａに載せられている惣菜が取り去られるのを待ち受ける。そしてプロセッサ１１は例えば、重量計１５による計測重量が０になったならば、惣菜が取り去られたとしてＹＥＳと判定する。そしてプロセッサ１１はこの場合には、ＡＣＴ１の待受状態に戻り、別の惣菜が秤皿１５ａに載せられるのに備える。
【００３７】
以上のように計量装置１０によれば、量り売り商品についての購買商品としての登録を、購買者が簡易に行うことを可能とすることができる。
【００３８】
ところで販売処理サーバ３０は、例えば購買者が退店した場合に、その購買者に関連付けられた商品テーブルに示されている購買商品に関する代金を、購買者に予め紐付けられたクレジットカードを用いて決済する。このようにすれば、商品販売処理システム１が備えられた店舗を、レジレス店舗とすることが可能である。そして本願によれば、このようなレジレス店舗において、量り売り商品の販売が可能となる。なお、販売処理サーバ３０は例えば、チェックアウトコーナーに備えたチェックアウト端末で購買者が退店を宣言する操作を行った場合に、購買者が退店したとする。あるいは販売処理サーバ３０は例えば、チェックアウトゲートを購買者が通過したことをセンサにより検出した場合に、購買者が退店したとする。
ただし、決済は、チェックアウトコーナーに設置したチェックアウト端末において行われてもよい。この場合、店員がチェックアウト端末を操作する対面式であってもよいし、購買者がチェックアウト端末を操作するセルフ式であってもよい。
【００３９】
読取端末２０にて、商品テーブルを生成し、保存し、更新してもよい。この場合、販売処理サーバ３０への商品コードの通知は省略できる。そして読取端末２０は、決済が要求された場合に、商品テーブルに応じた決済のための決済データを、クレジット決済等を行うサーバ又は上記のチェックアウト端末に通知する。なお、決済データは、決済すべき金額をサーバ又はチェックアウト端末で認識なデータであればよく、商品テーブルを含むか否かは任意である。
【００４０】
（第２の実施形態）
第２の実施形態は、第１の実施形態における計量装置１０と同様なハードウェア構成により実施することが可能である。このため、第２の実施形態としてのハードウェア構成の図示及び説明は省略する。
そして本実施形態と第１の実施形態とは、記憶部１２が記憶する情報処理プログラムが異なっており、この情報処理プログラムに基づくプロセッサ１１の処理が異なる。
計量装置１０が通常の動作状態にあるとき、プロセッサ１１は、記憶部１２に記憶されている情報処理プログラムに従って以下に説明する情報処理を実行する。
図５及び図６はプロセッサ１１の第２の実施形態における情報処理の手順を示すフローチャートである。なお、図５中におけるＡＣＴ１乃至ＡＣＴ８は、第１の実施形態の図３に示す処理と同一であるので、その説明は省略する。
【００４１】
ＡＣＴ１１としてプロセッサ１１は、連続宣言がなされたか否かを確認する。そしてプロセッサ１１は、該当の宣言がなされたことを確認できないならばＮＯと判定し、ＡＣＴ１へと進む。そしてプロセッサ１１は、計量が開始されたことを確認できないためにＡＣＴ１にてＮＯと判定したならば、ＡＣＴ１１へと戻る。
かくしてプロセッサ１１は、ＡＣＴ１１及びＡＣＴ１としては、連続宣言がなされるか、あるいは計量が開始されるのを待ち受ける。そしてプロセッサ１１は、計量が開始されたことによりＡＣＴ１にてＹＥＳと判定したならば、ＡＣＴ２以降の処理を第１の実施形態と同様に実行する。そしてプロセッサ１１は、ＡＣＴ８にてＹＥＳと判定したならば、ＡＣＴ１１及びＡＣＴ１の待受状態に戻る。ただし、ＡＣＴ７にて表示させる確認画面を、第２の実施形態においては第１の確認画面と称し、以降に説明する別の確認画面と区別する。
【００４２】
さて、第１の実施形態と同様なＡＣＴ１乃至ＡＣＴ８の処理によると、１つの惣菜の計量を終える毎に、読取端末２０で２次元コードを読み取ることが必要である。これに対して第２の実施形態では、複数の惣菜の計量を連続的に行うことを許容する。そしてこのような連続的な計量を行おうとする場合に購買者は、タッチパネル１３へのタッチ又はキーパッド１４の操作によって、連続宣言を行う。プロセッサ１１は、この連続宣言がなされたことを確認したならば、ＡＣＴ１１にてＹＥＳと判定し、図６中のＡＣＴ１２へと進む。
ＡＣＴ１２としてプロセッサ１１は、計量が開始されるのを待ち受ける。プロセッサ１１は例えば、重量計１５による計測重量が０のままであるならば、計量は開始されていないと判断する。そして上述のように惣菜が計量装置１０の秤皿１５ａに載せられると、重量計１５による計測重量が０では無くなる。そうするとプロセッサ１１は、計量が開始されたとしてＹＥＳと判定し、ＡＣＴ１３へと進む。
【００４３】
ＡＣＴ１３としてプロセッサ１１は、計量が終了するのを待ち受ける。プロセッサ１１は例えば、重量計１５による計測重量が変動しているうちは、計量中であると判断する。そしてプロセッサ１１は例えば、重量計１５による計測重量が、０以外の値のまま変化しない状態が予め定められた期間に渡ったならば、計量が終了したとしてＹＥＳと判定し、ＡＣＴ１４へと進む。
【００４４】
ＡＣＴ１４としてプロセッサ１１は、秤皿１５ａに載せられている惣菜がどの商品であるかを識別する。つまりこのときにカメラ１６が出力する画像データが表す画像には、秤皿１５ａに載せられている惣菜が映り込んでいるから、この画像に表れた惣菜の外観の特徴から商品を識別する。この商品の識別には、周知のオブジェクト認識技術を用いることができる。
【００４５】
ＡＣＴ１５としてプロセッサ１１は、複数の候補が有ったか否かを確認する。つまり、外観が似ている惣菜が複数存在する場合、カメラ１６が出力する画像データが表す画像に表れた特徴からでは、複数の惣菜のうちの１つに絞り込むことができない場合がある。そしてこの場合は、複数の候補が生じる。プロセッサ１１は、このような場合にＹＥＳと判定し、ＡＣＴ１６へと進む。
【００４６】
ＡＣＴ１６としてプロセッサ１１は、選択画面をタッチパネル１３に表示させる。選択画面は例えば、上記の複数の候補をそれぞれ表すとともに、これら候補のうちの秤皿１５ａに載っている惣菜を指定するように購買者に案内する画面である。この選択画面が表示された場合に購買者は、タッチパネル１３へのタッチ又はキーパッド１４の操作によって、候補のいずれかを指定する。
【００４７】
ＡＣＴ１７としてプロセッサ１１は、秤皿１５ａに載せられている惣菜が候補の中から指定されるのを待ち受ける。そしてプロセッサ１１は、上記のような惣菜を指定する操作が行われたことが確認できたならばＹＥＳと判定し、ＡＣＴ１８へと進む。なおプロセッサ１１は、ＡＣＴ１４にて惣菜を識別できたならば、ＡＣＴ１５にてＮＯと判定し、ＡＣＴ１６及びＡＣＴ１７をパスしてＡＣＴ１８へと進む。
【００４８】
ＡＣＴ１８としてプロセッサ１１は、第２の確認画面をタッチパネル１３に表示させる。
図７は一例としての第２の確認画面ＳＣ２を示す図である。なお、図７において図４に示されるのと同一の表示要素には同一の符号を付し、その詳細な説明は省略する。
第２の確認画面ＳＣ２は、表示エリアＡＲ１，ＡＲ２，ＡＲ３，ＡＲ４及びボタンＢＯ１，ＢＯ２を含む。
つまり第２の確認画面ＳＣ２は、第１の確認画面における文字メッセージＭＥ１及び２次元コードＣＯ１に代えてボタンＢＯ１，ＢＯ２を表している。これらボタンＢＯ１，ＢＯ２は、他の確認画面においても共通に含まれる。
ボタンＢＯ１は、別の惣菜を計量することを購買者が宣言するための操作ボタンである。ボタンＢＯ２は、複数の惣菜に関する計量を終了することを購買者が宣言するための操作ボタンである。
【００４９】
購買者は、計量中の惣菜に関して表示エリアＡＲ１，ＡＲ２，ＡＲ３，ＡＲ４に表示された内容での購買を決定したならば、ボタンＢＯ１，ＢＯ２のいずれかにタッチする。つまり購買者は、別の惣菜の計量を引き続き行いたいならば、ボタンＢＯ１にタッチする。また購買者は、計量を終えたいならば、ボタンＢＯ２にタッチする。なお購買者は、計量中の惣菜に関する計量をやり直す場合、あるいは当該惣菜の購買を取り止める場合には、ボタンＢＯ１，ＢＯ２のいずれにもタッチすることなく、惣菜を秤皿１５ａから取り除く。
【００５０】
ＡＣＴ１９としてプロセッサ１１は、秤皿１５ａに載せられている惣菜が取り去られたか否かを確認する。そしてプロセッサ１１は例えば、重量計１５による計測重量が０ではないならばＮＯと判定し、ＡＣＴ２０へと進む。
ＡＣＴ２０としてプロセッサ１１は、惣菜の追加での計量を行うことが宣言されたか否かを確認する。そしてプロセッサ１１は、ボタンＢＯ１がタッチされたことが確認できないならばＮＯと判定し、ＡＣＴ２１へと進む。
ＡＣＴ２１としてプロセッサ１１は、惣菜の追加での計量を行わないことが宣言されたか否かを確認する。そしてプロセッサ１１は、ボタンＢＯ２がタッチされたことが確認できないならばＮＯと判定し、ＡＣＴ１９へと戻る。
かくしてプロセッサ１１はＡＣＴ１９乃至ＡＣＴ２１としては、秤皿１５ａに載せられている惣菜が取り去られるか、惣菜の追加での計量を行うこと又は行わないことのいずれかの宣言がなされるのを待ち受ける。そしてプロセッサ１１は例えば、重量計１５による計測重量が０になったならば、惣菜が取り去られたとしてＡＣＴ１９にてＹＥＳと判定する。そしてプロセッサ１１はこの場合には、ＡＣＴ１２の待受状態に戻り、別の惣菜が秤皿１５ａに載せられるのに備える。
【００５１】
プロセッサ１１は、購買者により上述のようにボタンＢＯ１がタッチされ、これがタッチパネル１３により検出されたならば、ＡＣＴ２０にてＹＥＳと判定し、ＡＣＴ２２へと進む。
ＡＣＴ２２としてプロセッサ１１は、今回の連続での計量の対象となる惣菜に関するリストを表したテーブルデータを更新する。なお、連続で計量される惣菜は、まだ購買商品とすることが確定しておらず、候補商品であるので、上記のテーブルデータをここでは候補テーブルと称する。プロセッサ１１はこののち、ＡＣＴ１２の待受状態に戻り、次の惣菜が秤皿１５ａに載せられるのに備える。
【００５２】
かくしてプロセッサ１１は、秤皿１５ａに次々に惣菜が載せられるのに従って、ＡＣＴ１２乃至ＡＣＴ２２のループを繰り返すこととなる。プロセッサ１１は、このようなループを繰り返す中で、ＡＣＴ２１を最初に実行する場合には、ＡＣＴ１４で識別した惣菜又はＡＣＴ１７にて指定された惣菜の商品コードに関連付けて、計測重量、単価及び販売価格を表したレコードデータを１つ含んだ新たな候補テーブルを生成する。そしてプロセッサ１１は、ＡＣＴ２１を２度目以降に実行する場合には、新たに秤皿１５ａに載せられた惣菜の商品コードに関連付けて、計測重量、単価及び販売価格を表した新たなレコードデータを候補テーブルに追加する。
【００５３】
プロセッサ１１は、購買者により上述のようにボタンＢＯ２がタッチされ、これがタッチパネル１３により検出されたならば、ＡＣＴ２１にてＹＥＳと判定し、ＡＣＴ２３へと進む。
ＡＣＴ２３としてプロセッサ１１は、ＡＣＴ２２と同様にして候補テーブルを更新する。
【００５４】
ＡＣＴ２４としてプロセッサ１１は、第３の確認画面をタッチパネル１３に表示させる。
図８は一例としての第３の確認画面ＳＣ３を示す図である。
第３の確認画面ＳＣ３は、表示エリアＡＲ５、２次元コードＣＯ２、文字メッセージＭＥ３及びボタンＢＯ３を含む。
表示エリアＡＲ５は、候補テーブルに含まれた情報を表として示す。表示エリアＡＲ５は、他の確認画面においても共通に含まれる。しかしながら表示エリアＡＲ５に示される商品名、計測重量、単価及び販売価格は、他の確認画面では異なる場合がある。
【００５５】
２次元コードＣＯ２は、候補テーブルに示された商品コードと、販売価格を販売処理サーバ３０にて特定可能とする価格特定データとを少なくとも表す。価格特定データは、第１の実施形態と同様である。２次元コードＣＯ２は、他の確認画面においては、パターンが異なる別の２次元コードに置き換えられる場合もある。
文字メッセージＭＥ３は、表示エリアＡ５に示した表に表されている惣菜を購買商品とする場合には、読取端末２０に２次元コードＣＯ２を読み取らせるように購買者に促すメッセージを表している。当該メッセージの内容は任意であってよく、例えば計量装置１０の設計者又は管理者により定められる。文字メッセージＭＥ２は、別の確認画面においても共通に含まれる。
ボタンＢＯ３は、二次元コードＣＯ２の読み取りを完了した旨を購買者が宣言するための操作ボタンである。
【００５６】
購買者は、例えば第３の確認画面ＳＣ３を確認し、表示エリアＡ５に示した表に表されている惣菜を購買することを決定したならば、文字メッセージＭＥ３での案内に従って、２次元コードＣＯ２を読取端末２０に読み取らせる。
読取端末２０は、確認画面の２次元コードを読み取ったならば、そこに示される商品コード及び価格特定データを全て販売処理サーバ３０に通信ネットワーク４０を介して通知する。そしてこの通知を受けて販売処理サーバ３０は、通知元の読取端末２０に関連付けられた商品テーブルを、通知された商品コードで識別される全ての商品を購買商品として含むように更新する。つまり販売処理サーバ３０は、上記のように購買者が購入しようとしている商品を購買商品として登録する。また販売処理サーバ３０は、通知された価格特定データから特定した販売価格を、上記の登録した購買商品の販売価格として商品テーブルに含める。
【００５７】
購買者は、２次元コードＣＯ２を読取端末２０に読み取らせたならば、ボタンＢＯ３にタッチする。
プロセッサ１１は、二次元コードの読み取りが完了するのを待ち受ける。そしてプロセッサ１１は例えば、購買者によりボタンＢＯ３がタッチされ、これがタッチパネル１３により検出されたならば、ＡＣＴ２５にてＹＥＳと判定する。そしてプロセッサ１１はこの場合、図５中のＡＣＴ１１及びＡＣＴ１の待受状態に戻り、別の惣菜が秤皿１５ａに載せられるのに備える。
【００５８】
以上のように第２の実施形態における計量装置１０でも、量り売り商品についての購買商品としての登録を、購買者が簡易に行うことを可能とすることができる。
また第２の実施形態における計量装置１０によれば、複数の惣菜に関する商品コード及び価格特定データを、一度の２次元コード読み取りで読取端末２０に取得させることができるので、１つの惣菜毎に２次元コード読み取りを行う場合に比べて購買者の操作を簡略化できる。
また第２の実施形態における計量装置１０によれば、１つの惣菜の計量を終える毎に当該惣菜を購買商品として登録する方法と、複数の惣菜の計量を終えてからこれら複数の惣菜をまとめて購買商品として登録する方法とを、購買者が任意に選択して用いることが可能である。従って、購買者のニーズに応じた方法での登録が行える。
【００５９】
また、第２の実施形態の場合は、肉の切り売りのように、売場にて販売員が計量装置１０を操作しながらの量り売りを行う場合にも好適である。つまり、第２の実施形態の計量装置１０を用いることで、販売員が購買者の要望に応じて、複数の商品を順次に計量し、最後に一度だけ購買者が読取端末２０に２次元コードを読み取らせた上で、上記複数の商品を販売員から受け取る、といった販売形態を実現できる。
なお、このような販売形態での利用するための計量装置１０には、購買者に対して２次元コードを表示するための表示デバイスを、タッチパネル１３とは別に設けてもよい。このような計量装置１０であれば、販売カウンターを挟んで販売員が購買者と対面して量り売りを行う売場において使用するのに適する。
【００６０】
この実施形態は、次のような種々の変形実施が可能である。
第１及び第２の実施形態において、商品コード及び価格特定データの出力は、１次元のバーコード又は文字列などの２次元コード以外の光学的に読取可能な表示によって行われてもよい。あるいは、商品コード及び価格特定データの出力は、近接無線通信などを用いた無線通信により行われてもよい。あるいは、通信ネットワーク４０を介した通信を行うデバイスを計量装置１０に備えて、商品コード及び価格特定データを、通信ネットワーク４０を介して販売処理サーバ３０へと送信してもよい。
【００６１】
第１及び第２の実施形態において、商品テーブルは、購買者に関連付けて管理してもよい。そして、購買者の行動をカメラなどのセンサで監視し、購買者が秤皿１５ａに載せられた商品を購買商品とする行動が確認できた場合に、販売処理サーバ３０が計量装置１０から商品コード及び価格特定データを取得し、商品テーブルを更新してもよい。
【００６２】
第１及び第２の実施形態において、情報処理によりプロセッサ１１が実現する各機能は、その一部又は全てをロジック回路などのようなプログラムに基づかない情報処理を実行するハードウェアにより実現することも可能である。また上記の各機能のそれぞれは、上記のロジック回路などのハードウェアにソフトウェア制御を組み合わせて実現することも可能である。
【００６３】
第２の実施形態において、プロセッサ１１は、ＡＣＴ１１及びＡＣＴ１乃至ＡＣＴ８を行うことなしに、ＡＣＴ１２乃至ＡＣＴ２５の処理を行ってもよい。
【００６４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６５】
１…商品販売処理システム、１０…計量装置、１１…プロセッサ、１２…記憶部、１３…タッチパネル、１４…キーパッド、１５…重量計、１５ａ…秤皿、１６…カメラ、１７…伝送路、２０…読取端末、３０…販売処理サーバ、４０…通信ネットワーク、１００…筐体、２００…操作パネル、３００…取付アーム。
【図１】
2020153839.tif 000003
【図２】
2020153839.tif 000004
【図３】
2020153839.tif 000005
【図４】
2020153839.tif 000006
【図５】
2020153839.tif 000007
【図６】
2020153839.tif 000008
【図７】
2020153839.tif 000009
【図８】
2020153839.tif 000010